Podtech/llm-jp-corpus-v4-ja_patent huggingface dataset:
【手続補正書】
【提出日】平成29年11月8日(2017.11.8)
【手続補正１】
【補正対象書類名】特許請求の範囲
【補正対象項目名】全文
【補正方法】変更
【補正の内容】
【特許請求の範囲】
【請求項１】
ユーザデバイスにおいてデバイス間発見のための複数のパラメータを受信することと、前記複数のパラメータは、発見リソースがデバイス間発見のために利用可能である発見期間を識別する発見期間パラメータを含み、前記複数のパラメータのうちの少なくとも１つのサブセットは、前記ユーザデバイスのクラスに少なくとも部分的に基づく値を有し、
他のユーザデバイスとともに発見に参加するために前記複数のパラメータを使用することと
を備える、ワイヤレス通信のための方法。
【請求項２】
前記発見期間は、前記ユーザデバイスが使用されるネットワークの最大システムフレーム数（ＳＦＮ）の整数分の１または倍数である、請求項１に記載の方法。
【請求項３】
前記発見期間が最大ＳＦＮの倍数であるとき、前記複数のパラメータは、前記発見期間中に前記最大ＳＦＮが超過される回数を示すためにＳＦＮ拡張パラメータをさらに含む、請求項２に記載の方法。
【請求項４】
前記複数のパラメータが、前記発見期間の開始と、リソースプールのための固定時間ベースの基準ポイントとの間のオフセットを示す発見オフセットパラメータをさらに備え、前記方法が、
前記ユーザデバイスのサービングセルのための固定時間ベースの基準ポイントに関してネイバーリソースプールオフセットを示すこと
をさらに備える、請求項１に記載の方法。
【請求項５】
前記複数のパラメータは、前記発見期間内のどのサブフレームが発見リソースとして利用可能であるかを示す発見サブフレームパラメータをさらに含む、請求項１に記載の方法。
【請求項６】
前記発見サブフレームパラメータがビットマップである、請求項５に記載の方法。
【請求項７】
前記複数のパラメータが、発見リソースとして利用可能なサブフレーム内で各発見信号のために使用されるべき１つまたは複数のリソースブロックの開始ポイントおよび終了ポイントを示す発見リソースブロック開始および終了ポイントパラメータをさらに含む、請求項５に記載の方法。
【請求項８】
前記複数のパラメータが、基地局に接続された１つまたは複数のユーザデバイスによってフォワーディングされた各発見期間として前記基地局の同期信号の位置を示す同期信号の位置パラメータをさらに含む、請求項１に記載の方法。
【請求項９】
前記複数のパラメータが、発見信号送信に関する電力レベルを示す送信電力パラメータをさらに含む、請求項１に記載の方法。
【請求項１０】
前記複数のパラメータが、システムフレーム数（ＳＦＮ）拡張パラメータと、発見オフセットパラメータと、発見サブフレームパラメータと、発見リソースブロック長さパラメータと、発見リソースブロック開始および終了ポイントパラメータと、変調およびコーディングパラメータと、同期信号の位置パラメータと、送信電力パラメータと、許可動作モードパラメータと、共通発見リソースプールパラメータと、専用発見リソースプールパラメータとのうちの２つ以上を含み、
前記ユーザデバイスの前記クラスが商用または公共安全のうちの１つである、請求項１に記載の方法。
【請求項１１】
前記複数のパラメータを受信することが、
システムブロードキャストメッセージ中で異なる周波数上で前記複数のパラメータのうちのいくつか、または
システムブロードキャストメッセージ中で異なるパブリックランドモバイルネットワーク（ＰＬＭＮ）のために前記複数のパラメータ
を受信することをさらに備える、請求項１に記載の方法。
【請求項１２】
ユーザデバイスにおいてデバイス間発見のための複数のパラメータを受信するための手段と、前記複数のパラメータは、発見リソースがデバイス間発見のために利用可能である発見期間を識別する発見期間パラメータを含み、前記複数のパラメータのうちの少なくとも１つのサブセットは、前記ユーザデバイスのクラスに少なくとも部分的に基づく値を有し、
他のユーザデバイスとともに発見に参加するために前記複数のパラメータを使用するための手段と
を備える、ワイヤレス通信のための装置。
【請求項１３】
受信するための前記手段は、前記発見期間中に最大システムフレーム数（ＳＦＮ）が超過される回数を示すためにＳＦＮ拡張パラメータを受信するための手段を含む、請求項１２に記載の装置。
【請求項１４】
受信するための前記手段が、前記発見期間の開始と、リソースプールのための固定時間ベースの基準ポイントとの間のオフセットを示す発見オフセットパラメータを受信するための手段を含み、前記装置が、
前記ユーザデバイスのサービングセルのための固定時間ベースの基準ポイントに関してネイバーリソースプールオフセットを示すための手段
をさらに備える、請求項１２に記載の装置。
【請求項１５】
非一時的プログラムコードを記録した非一時的コンピュータ可読媒体を備え、前記非一時的プログラムコードは、
ユーザデバイスにおいてデバイス間発見のための複数のパラメータを受信するためのプログラムコードと、前記複数のパラメータは、発見リソースがデバイス間発見のために利用可能である発見期間を識別する発見期間パラメータを含み、前記複数のパラメータのうちの少なくとも１つのサブセットは、前記ユーザデバイスのクラスに少なくとも部分的に基づく値を有し、
他のユーザデバイスとともに発見に参加するために前記複数のパラメータを使用するためのプログラムコードと
を備える、コンピュータプログラム製品。
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
ユーザによって要求されたサービスを説明する複数の属性を備える圧縮されていない第１の表現を識別することと、
ハッシングされた属性の連結された第１のストリングを生成するために前記圧縮されていない属性の各々を個々に圧縮することと、
ワイヤレス信号を介して、個々にハッシングされた属性の連結された第２のストリングを受信することと、
前記第１のストリングの前記ハッシングされた属性のうちの少なくとも１つと、前記第２のストリングの前記ハッシングされた属性のうちの少なくとも１つとを比較することと、
前記第１のストリングの前記ハッシングされた属性のうちの少なくとも１つが、前記第２のストリングの前記ハッシングされた属性のうちの少なくとも１つとのマッチを備えるかどうかを決定することと
を備える、デバイスにおける、ワイヤレス通信の方法。
【請求項２】
前記第１のストリングの前記ハッシングされた属性のうちの１つが、前記第２のストリングの前記ハッシングされた属性のうちの少なくとも１つとのマッチを備えるとき、ハッシングされた属性の前記第２のストリングを選択すること
をさらに備える、請求項１に記載の方法。
【請求項３】
ハッシングされた属性の前記第２のストリングが、ハッシングされた属性の前記ブロードキャストされた第２のストリングの物理的ロケーションに対応する属性をさらに備える、請求項２に記載の方法。
【請求項４】
ハッシングされた属性の前記第１のストリングが、前記ユーザによって要求されたサービスのためのリバースドメインネームシステム（ＤＮＳ）スタイル名ストリングに対応し、ハッシングされた属性の前記第２のストリングが、ブロードキャストされたサービスのためのリバースＤＮＳスタイル名ストリングに対応する、請求項１に記載の方法。
【請求項５】
前記第１のストリングの前記ハッシングされた属性の各々と前記第２のストリングの前記ハッシングされた属性の各々とが、１つまたは複数のサービス名の個々の要素に対応し、前記１つまたは複数のサービス名がリバースドメインネームシステム（ＤＮＳ）スタイル名ストリングを備える、請求項１に記載の方法。
【請求項６】
ハッシングされた属性の前記第１のストリングとハッシングされた属性の前記第２のストリングとを比較するための基準を指定することをさらに備える、請求項１に記載の方法。
【請求項７】
ハッシングされた属性の前記第１のストリングまたはハッシングされた属性の前記第２のストリングのうちの少なくとも１つが、圧縮サイズインジケータをさらに備える、請求項１に記載の方法。
【請求項８】
ハッシングされた属性の前記第１のストリングまたはハッシングされた属性の前記第２のストリングのうちの少なくとも１つが、圧縮アルゴリズムインジケータをさらに備える、請求項１に記載の方法。
【請求項９】
ハッシングされた属性の前記第１のストリングまたはハッシングされた属性の前記第２のストリングのうちの少なくとも１つが、表現終了インジケータをさらに備える、請求項１に記載の方法。
【請求項１０】
ハッシングされた属性の前記第１のストリングまたはハッシングされた属性の前記第２のストリングのうちの少なくとも１つが、少なくとも２つの圧縮アルゴリズムを用いてハッシングされた属性をさらに備える、請求項１に記載の方法。
【請求項１１】
ユーザによって要求されたサービスを説明する複数の属性を備える圧縮されていない第１の表現を識別するための手段と、
ハッシングされた属性の連結された第１のストリングを生成するために各属性を個々に圧縮するための手段と、
ワイヤレス信号を介して、個々にハッシングされた属性の連結された第２のストリングを受信するための手段と、
前記第１のストリングの前記ハッシングされた属性のうちの少なくとも１つと、前記第２のストリングの前記ハッシングされた属性のうちの少なくとも１つとを比較するための手段と、
前記第１のストリングの前記ハッシングされた属性のうちの少なくとも１つが、前記第２のストリングの前記ハッシングされた属性のうちの少なくとも１つとのマッチを備えるかどうかを決定するための手段と、
を備える、ワイヤレス通信のためのシステム。
【請求項１２】
プロセッサと、
前記プロセッサと電子通信しているメモリと、
前記メモリに記憶された命令と、
を備え、前記命令は、
ユーザによって要求されたサービスを説明する複数の属性を備える圧縮されていない第１の表現を識別することと、
ハッシングされた属性の連結された第１のストリングを生成するために各属性を個々に圧縮することと、
ワイヤレス信号を介して、個々にハッシングされた属性の連結された第２のストリングを受信することと、
前記第１のストリングの前記ハッシングされた属性のうちの少なくとも１つと、前記第２のストリングの前記ハッシングされた属性のうちの少なくとも１つとを比較することと、
前記第１のストリングの前記ハッシングされた属性のうちの少なくとも１つが、前記第２のストリングの前記ハッシングされた属性のうちの少なくとも１つとのマッチを備えるかどうかを決定することと
を行うために前記プロセッサによって実行可能である、ワイヤレス通信のための装置。
【請求項１３】
ワイヤレス通信のためのコードを記憶する非一時的コンピュータ可読媒体であって、前記コードは、
ユーザによって要求されたサービスを説明する複数の属性を備える圧縮されていない第１の表現を識別することと、
ハッシングされた属性の連結された第１のストリングを生成するために各属性を個々に圧縮することと、
ワイヤレス信号を介して、個々にハッシングされた属性の連結された第２のストリングを受信することと、
前記第１のストリングの前記ハッシングされた属性のうちの少なくとも１つと、前記第２のストリングの前記ハッシングされた属性のうちの少なくとも１つとを比較することと、
前記第１のストリングの前記ハッシングされた属性のうちの少なくとも１つが、前記第２のストリングの前記ハッシングされた属性のうちの少なくとも１つとのマッチを備えるかどうかを決定することと
を行うために実行可能な命令を備える、非一時的コンピュータ可読媒体。
【手続補正書】
【提出日】平成29年10月20日(2017.10.20)
【手続補正１】
【補正対象書類名】特許請求の範囲
【補正対象項目名】全文
【補正方法】変更
【補正の内容】
【特許請求の範囲】
【請求項１】
ユーザデバイスであって、
画像キャプチャデバイスから受信された、１人以上のユーザのビデオを、ネットワークを介して、少なくとも別のユーザデバイスに送信するよう構成されているネットワークインタフェースと、
複数の視覚的なユーザ特徴から１以上の特徴を選択し、前記の選択された１以上の特徴を追跡するために、前記の選択された１以上の特徴の検出に基づいて、前記ビデオを制御するよう構成されているビデオコントローラであって、前記の選択された１以上の特徴の前記検出は、前記１人以上のユーザのうちの少なくとも１人のユーザに関して、前記少なくとも１人のユーザの複数の検出された骨格ポイントを受信することを含み、前記ビデオは、前記複数の検出された骨格ポイントに基づいて制御される、ビデオコントローラと、
前記ユーザデバイスと前記別のユーザデバイスとの間の通信チャネルと、前記ユーザデバイス及び／又は前記別のユーザデバイスの１以上のリソースと、のうちの少なくとも一方に関する情報を受信し、前記の受信された情報に基づいて、前記ビデオコントローラによる該選択を制御するよう構成されているリソースマネージャと、
を備えたユーザデバイス。
【請求項２】
前記複数の視覚的なユーザ特徴は、ユーザの複数の身体パーツである、請求項１記載のユーザデバイス。
【請求項３】
前記ビデオは、複数のユーザのものであり、前記ビデオコントローラは、前記複数のユーザの各々に関する選択された特徴を追跡するために、前記複数のユーザの各々に関する前記選択された特徴の検出に基づいて、前記ビデオを制御するようさらに構成されている、請求項１記載のユーザデバイス。
【請求項４】
前記ネットワークインタフェースは、前記画像キャプチャデバイスから受信された、前記１人以上のユーザのさらなるビデオを、前記ネットワークを介して、さらなるユーザデバイスに送信するようさらに構成されており、
前記ビデオコントローラは、前記複数の視覚的なユーザ特徴から１以上のさらなる特徴を選択し、前記の選択された１以上のさらなる特徴を追跡するために、前記の選択された１以上のさらなる特徴の検出に基づいて、前記さらなるビデオを制御するようさらに構成されており、
前記リソースマネージャは、前記ユーザデバイスと前記さらなるユーザデバイスとの間の通信チャネルと、前記さらなるユーザデバイスの１以上のリソースと、のうちの少なくとも一方に関するさらなる情報を受信し、前記の受信されたさらなる情報に基づいて、前記ビデオコントローラによる該選択を制御するようさらに構成されている、請求項１記載のユーザデバイス。
【請求項５】
前記制御は、前記の選択された１以上の特徴の前記検出に基づいて境界データを生成することを含む、請求項１記載のユーザデバイス。
【請求項６】
前記制御は、前記の生成された境界データに基づいて、前記画像キャプチャデバイスから受信されたビデオデータを処理することを含む、請求項５記載のユーザデバイス。
【請求項７】
前記ビデオデータを処理することは、前記の生成された境界データに基づいて、前記ビデオデータをクロップすることを含む、請求項６記載のユーザデバイス。
【請求項８】
ユーザデバイスから別のユーザデバイスに１人以上のユーザのビデオを送信する方法であって、
画像キャプチャデバイスから前記ビデオを受信するステップと、
前記ユーザデバイスと前記別のユーザデバイスとの間の通信チャネルと、前記ユーザデバイス及び／又は前記別のユーザデバイスの１以上のリソースと、のうちの少なくとも一方に関する情報を受信するステップと、
前記の受信された情報に基づいて、前記の受信されたビデオにおいて、複数の視覚的なユーザ特徴からの１以上の選択された特徴を検出するステップと、
前記１以上の選択された特徴を追跡するために、前記１以上の選択された特徴の前記検出に基づいて、前記ビデオを制御するステップであって、前記１以上の選択された特徴の前記検出は、前記１人以上のユーザのうちの少なくとも１人のユーザに関して、前記少なくとも１人のユーザの複数の検出された骨格ポイントを受信することを含み、前記ビデオは、前記複数の検出された骨格ポイントに基づいて制御される、ステップと、
前記ビデオを前記別のユーザデバイスに送信するステップと、
を含む方法。
【請求項９】
ユーザデバイスであって、
ネットワークに接続するためのネットワークインタフェースと、
１以上のプロセッサであって、
画像キャプチャデバイスから受信された、１人以上のユーザのビデオを、前記ネットワークを介して、別のユーザデバイスに送信し、
複数の視覚的なユーザ特徴から特徴を選択し、
第１の時間及び第２の時間のそれぞれにおいて、前記の選択された特徴の検出に基づいて、第１のセットの境界データ及び第２のセットの境界データを生成し、
動的モデルを使用して、前記第１のセットの境界データ及び前記第２のセットの境界データに基づいて、過渡データを生成し、
前記の選択された特徴を追跡するために、前記過渡データに基づいて前記ビデオを制御する
よう構成されている１以上のプロセッサと、
を備えたユーザデバイス。
【請求項１０】
ユーザデバイスからネットワークを介して別のユーザデバイスに１人以上のユーザのビデオを送信する方法であって、
画像キャプチャデバイスから前記ビデオを受信するステップと、
複数の視覚的なユーザ特徴から特徴を選択するステップと、
第１の時間及び第２の時間のそれぞれにおいて、前記の選択された特徴の検出に基づいて、第１のセットの境界データ及び第２のセットの境界データを生成するステップと、
動的モデルを使用して、前記第１のセットの境界データ及び前記第２のセットの境界データに基づいて、過渡データを生成するステップと、
前記の選択された特徴を追跡するために、前記過渡データに基づいて前記ビデオを制御するステップと、
前記ネットワークを介して前記別のユーザデバイスに前記ビデオを送信するステップと、
を含む方法。
【手続補正書】
【提出日】平成29年6月1日(2017.6.1)
【手続補正１】
【補正対象書類名】特許請求の範囲
【補正対象項目名】請求項６
【補正方法】変更
【補正の内容】
【請求項６】
前記中央管及び前記アセンブリを再構成する工程は、向流熱交換流を並流熱交換流に変更する工程、インライン計装装置を追加する工程、インライン計装装置を取り除く工程、前記中央管を異なる直径を有する別の中央管と交換する工程、及びこれらの組合せからなる群から選択される動作を含む、請求項５に記載の方法。
【手続補正２】
【補正対象書類名】明細書
【補正対象項目名】００１３
【補正方法】変更
【補正の内容】
【００１３】
[0013]一実施形態において、アレイの各枝管は、管状同心熱交換器を含み、この管状同心熱交換器は、アレイ内に固定配置された外側シェルを含み、外側シェルに原状復帰可能に取り付けられこの外側シェルから取り外し可能であるアセンブリに接続された中央管を更に含み、食品は、外側シェルと中心管との間に形成される環状部に案内される。方法は更に、中央管及びアセンブリをアレイの枝管の端部の外へと摺動させることによって熱交換器の１つを再構成する工程と、中央管及びアセンブリを再構成する工程と、中央管及びアセンブリをアレイの枝管の端部へと再挿入する工程とを含み得る。中央管及びアセンブリを再構成する工程は、向流熱交換流を並流熱交換流に変更すること、インライン計装装置を追加すること、インライン計装装置を取り除くこと、中央管を異なる直径を有する別の中央管と交換すること、及びこれらの組合せからなる群から選択される動作を含み得る。方法は更に、管状同心熱交換器それぞれの中央管を通じて、及び外側シェルを通じて、熱交換媒体を案内することを含み得る。
【手続補正３】
【補正対象書類名】明細書
【補正対象項目名】００６５
【補正方法】変更
【補正の内容】
【００６５】
[0070]同心熱交換器であるいずれかの熱交換器１４において、加熱又は冷却用熱伝達媒体が、シェル２２内を、中央管２３を通じて流れ得る一方で、食品は、環状部を通じて同じ方向で（並流熱交換流）又は反対方向で（向流熱交換流）流れ得る。熱交換器１４の環状部の外側部分は、シェル２２であり、環状部の最内部は中央管２３である。製品が熱交換器１４の長さを下方に移動すると、製品は両側で（具体的には、外側製品表面上のシェル２２、及び内側製品表面上の中央管２３により、加熱又は冷却され得る。
【手続補正４】
【補正対象書類名】明細書
【補正対象項目名】００７２
【補正方法】変更
【補正の内容】
【００７２】
[0077]上記の説明は、向流のために構成された熱交換器１４に基づいている。しかしながら、食品がコア出口アセンブリ２４付近で熱交換器１４に入り、コア入口アセンブリ２１の付近で熱交換器１４を出るように、並流のために容易に構成することができる。この点において、熱交換器アレイ１３は、特に、固有の加熱又は冷却プロファイルを必要とし得る製品又は材料を加工するときに、更なる可撓性をもたらすために、平行及び／又は直列構成で熱交換器１４を含むことができる。
【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
モバイルデバイスのスキン部分におけるスキン温度が閾値温度よりも高いかどうか判断するステップと、
前記スキン温度が前記閾値温度よりも高い場合、第1の熱電冷却器(TEC)に電力を供給して、前記第1のTECの第1の側を冷却する一方で前記第1のTECの第2の側を加熱するステップであって、前記第1のTECの前記第1の側が前記スキン部分に接触して前記スキン部分を冷却するステップと、
を含み、
前記第1のTECの前記第2の側が前記モバイルデバイスの内側部分における熱生成構成要素に面し、前記熱生成構成要素は、前記スキン部分の前記閾値温度よりもかなり高い許容温度限界を有し、前記第1のTECは、前記スキン部分が冷却され前記熱生成構成要素が加熱されるように、前記スキン部分と前記熱生成構成要素の間に配置される、
方法。
【請求項２】
求められた前記スキン温度が前記閾値温度以下である場合、前記第1のTECの前記第1の側と前記第2の側との間の温度差によって電力を生成するステップをさらに含む請求項1に記載の方法。
【請求項３】
前記生成された電力が、前記モバイルデバイスのバッテリーに貯蔵されるかまたは前記モバイルデバイスの構成要素に直接供給される請求項2に記載の方法。
【請求項４】
前記スキン温度が前記閾値温度以下であると判断されたときには前記第1のTECへの電力供給を差し控えるステップをさらに含む請求項1に記載の方法。
【請求項５】
前記第1のTECの前記第2の側がサーマルソリューションに接触して、前記第1のTECの第2の側から生成された熱を冷却する請求項1に記載の方法。
【請求項６】
前記サーマルソリューションが、銅の熱スプレッダ、アルミニウムの熱スプレッダ、カーボンの熱スプレッダ、または相変化材料(PCM)のうち少なくとも1つを備える請求項5に記載の方法。
【請求項７】
前記スキン温度が測定される前記モバイルデバイスの前記スキン部分が、前記モバイルデバイスの表示側にあるか、または、
前記スキン温度が測定される前記モバイルデバイスの前記スキン部分が、前記モバイルデバイスの非表示側にある、
請求項1に記載の方法。
【請求項８】
前記モバイルデバイスの第2のスキン部分における第2のスキン温度が前記閾値温度よりも高いかどうか判断するステップと、
前記第2のスキン温度が前記閾値温度よりも高い場合、第2のTECに電力を供給して、前記第2のTECの第1の側を冷却する一方で前記第2のTECの第2の側を加熱するステップであって、前記第2のTECの前記第1の側が前記第2のスキン部分に接触して前記第2のスキン部分を冷却し、前記第2のTECの前記第2の側が前記モバイルデバイスの前記内側部分に面するステップとをさらに含む請求項1に記載の方法。
【請求項９】
前記第1のTECから反対側にある第2のTECの第1の側と前記第2のTECの第2の側との間の温度差によって電力を生成するステップをさらに含む請求項1に記載の方法。
【請求項１０】
前記第2のTECの前記第1の側が前記モバイルデバイスの第2のスキン部分と接触し、前記第2のTECの前記第2の側が前記モバイルデバイスの前記内側部分に面するか、または、
前記第2のTECの前記第1の側が前記モバイルデバイスの前記内側部分に面し、前記第2のTECの前記第2の側が前記モバイルデバイスの第2のスキン部分と接触する
請求項9に記載の方法。
【請求項１１】
前記第2のTECの前記第1の側および前記第2の側のうち少なくとも1つがサーマルソリューションと接触する請求項9に記載の方法。
【請求項１２】
前記スキン温度が、ダイ温度、パワーマネジメント集積回路(PMIC)の電力出力、またはPMIC温度のうち少なくとも1つに基づいて求められる請求項1に記載の方法。
【請求項１３】
モバイルデバイスのスキン部分におけるスキン温度が閾値温度よりも高いかどうか判断するための手段と、
前記スキン温度が前記閾値温度よりも高い場合、第1の熱電冷却器(TEC)に電力を供給して、前記第1のTECの第1の側を冷却する一方で前記第1のTECの第2の側を加熱するための手段であって、前記第1のTECの前記第1の側が前記スキン部分に接触して前記スキン部分を冷却する手段とを備え、
前記第1のTECの前記第2の側が前記モバイルデバイスの内側部分における熱生成構成要素に面し、前記熱生成構成要素は、前記スキン部分の前記閾値温度よりもかなり高い許容温度限界を有し、前記第1のTECは、前記スキン部分が冷却され前記熱生成構成要素が加熱されるように、前記スキン部分と前記熱生成構成要素の間に配置される、
装置。
【請求項１４】
請求項1乃至12の何れか1項に記載の方法を実行するための手段をさらに備える、請求項13に記載の装置。
【請求項１５】
請求項1乃至12の何れか1項に記載の方法を実行するためのコードを含むコンピュータ可読記憶媒体。
【手続補正書】
【提出日】平成29年8月29日(2017.8.29)
【手続補正１】
【補正対象書類名】特許請求の範囲
【補正対象項目名】全文
【補正方法】変更
【補正の内容】
【特許請求の範囲】
【請求項１】
下記の化学式
【化５】
2017503850.tif 000001
で表される化合物（１０）又はその塩。
（式中、Ｒ１及びＲ２は、互いに独立して、アラルキル、水素、アルキル、シクロアルキル、シクロアルキルアルキル、カルボキシル、ハロアルキル、アルケニル、シクロアルケニル、アルキニル、アリール、ヒドロキシアルキル、アルコキシ、アリールオキシ、アルコキシアルキル、アルコキシカルボニル、アラルコキシ、アラルキルチオ、アルカノイル、メルカプト、アルキルチオ、アリールチオ、アルキルスルフィニル、アリールスルフィニル、アルキルスルホニル、アリールスルホニル、ヘテロアリール、アシル、又は複素環基を表し、かつＲ１がＣＨ２Ｐｈである場合は、Ｒ２はＣＨ２−（（２−ＣＨ３）−Ｐｈでない）
【請求項２】
Ｒ１及びＲ２は、互いに独立して、Ｃ１−４アルキルフェニル、Ｈ、Ｃ１−４アルキル、Ｃ１−４アルキルフェニルケトン、Ｃ１−４ベンジル−ピペラジン、及びＣ１−４アルキルチエニルからなる群から選択され、Ｃ１−４アルキル、Ｃ１−４アルキルフェニル、Ｃ１−４アルキルフェニルケトン、及びＣ１−４ベンジル−ピペラジンは、任意選択で、Ｃ１−４アルキル、ヒドロキシル、又はハロで置換されることを特徴とする請求項１に記載の化合物又はその塩。
【請求項３】
Ｒ１及びＲ２は、互いに独立して、ＣＨ２Ｐｈ、ＣＨ２−（２，４−ジＦ−Ｐｈ）、Ｈ、ＣＨ３、ＣＨ２−（（２−Ｃｌ）−Ｐｈ）、ＣＨ２−（２−チエニル）、ＣＨ２ＣＨ２Ｐｈ、ＣＨ２ＣＨ２（４−Ｎ−ベンジルピペラジン）、ＣＨ２−（（２−ＣＨ３）−Ｐｈ）、ＣＨ２ＣＨＯＨＰｈ、及び（ＣＨ２）３ＣＯ−４Ｆ−Ｐｈからなる群から選択されることを特徴とする請求項１に記載の化合物又はその塩。
【請求項４】
前記Ｒ１がＣＨ２Ｐｈであり、かつ前記Ｒ２がＣＨ２−（２，４−ジＦ−Ｐｈ）であることを特徴とする請求項１に記載の化合物又はその塩。
【請求項５】
前記Ｒ１がＣＨ２Ｐｈであり、かつ前記Ｒ２がＣＨ２−（（２−Ｃｌ）−Ｐｈ）であることを特徴とする請求項１に記載の化合物又はその塩。
【請求項６】
前記Ｒ１がＣＨ２Ｐｈであり、かつ前記Ｒ２がＣＨ２−（２−チエニル）であることを特徴とする請求項１に記載の化合物又はその塩。
【請求項７】
前記Ｒ１がＣＨ２Ｐｈであり、かつ前記Ｒ２がＣＨ２ＣＨ２Ｐｈであることを特徴とする請求項１に記載の化合物又はその塩。
【請求項８】
前記Ｒ１がＣＨ２Ｐｈであり、かつ前記Ｒ２がＣＨ２ＣＨ２（４−Ｎ−ベンジルピペラジン）であることを特徴とする請求項１に記載の化合物又はその塩。
【請求項９】
前記Ｒ１がＨ、ＣＨ３、ＣＨ２ＣＨ２Ｐｈ、ＣＨ２ＣＨ２ＮＨＣＯＯＣ（ＣＨ３）３またはＣＨ２ＣＨ２ＣＨ２ＣＨ２であり、かつ前記Ｒ２がＣＨ２−（（２−ＣＨ３）−Ｐｈであることを特徴とする請求項１に記載の化合物又はその塩。
【請求項１０】
前記化合物が塩酸のジ塩であることを特徴とする請求項１に記載の化合物またはその塩。
【請求項１１】
請求項１ないし１０のいずれかに記載の化合物またはその塩と、薬学的に許容される担体とを含むことを特徴とする医薬組成物。
【請求項１２】
抗癌剤をさらに含むことを特徴とする請求項１１に記載の医薬組成物。
【請求項１３】
薬剤として使用される、請求項１ないし１０のいずれかに記載の化合物またはその塩、あるいは請求項１１または１２に記載の医薬組成物。
【請求項１４】
癌の治療に使用される、請求項１ないし１０のいずれかに記載の化合物またはその塩、あるいは請求項１１または１２に記載の医薬組成物。
【手続補正書】
【提出日】平成29年9月11日(2017.9.11)
【手続補正１】
【補正対象書類名】特許請求の範囲
【補正対象項目名】全文
【補正方法】変更
【補正の内容】
【特許請求の範囲】
【請求項１】
ａ）多孔質ポリマー粒子であって、
ｉ）モノマー組成物の総重量に基づいて少なくとも１０重量パーセントの式（Ｉ）
ＣＨ２＝Ｃ（Ｒ１）−（ＣＯ）−Ｏ［−ＣＨ２−ＣＨ２−Ｏ］ｐ−（ＣＯ）−Ｃ（Ｒ１）＝ＣＨ２  （Ｉ）
（式中、ｐが少なくとも１に等しい整数であり、Ｒ１が水素又はアルキルである）
の第１のモノマーを含む、モノマー組成物と、
ｉｉ）少なくとも５００グラム／モルの重量平均分子量を有するポリ（プロピレングリコール）と、を含む反応混合物の重合生成物を含み、
前記ポリ（プロピレングリコール）が前記重合生成物に取り込まれずに、前記多孔質ポリマー粒子が形成されている、多孔質ポリマー粒子と、
ｂ）疎水性及び親水性ポリマー繊維の混合物を含む繊維性多孔質マトリックスであって、前記多孔質ポリマー粒子が前記繊維性多孔質マトリックス全体に分散される、繊維性多孔質マトリックスと、を含む、多孔質物品。
【請求項２】
ａ）容器であって、流体ストリームを前記容器に通す入口及び出口を有する容器と、
ｂ）前記容器内に配置された請求項１に記載の多孔質物品と、を備える、分離装置。
【請求項３】
ａ）分離装置を提供する工程であって、前記分離装置が、
ｉ）入口及び出口を有する容器と、
ｉｉ）前記容器内に配置された請求項１に記載の多孔質物品と、を備える、工程と、
ｂ）標的物質を含む流体ストリームを前記分離装置に通す工程であって、前記流体ストリームが前記容器の前記入口に入り、前記容器内に配置された前記多孔質物品と接触し、前記出口から出る、工程と、
ｃ）前記標的物質を前記流体ストリームから除去する工程であって、前記標的物質が前記多孔質物品によって拘束又は捕捉される、工程と、を含む、標的物質を分離する方法。
【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
対象における部位での感染を低下させるための組成物であって、１％以下の濃度でクロルヘキシジンを含む水溶液を含み、該部位が、
ａ）血液、
ｂ）尿生殖路、
ｃ）気道、
ｄ）腹腔内部位、
ｅ）結腸、
ｆ）洞、
ｇ）関節内部位、
ｈ）縦隔部位、および
ｉ）脳脊髄部位
から選択される、前記組成物。
【請求項２】
クロルヘキシジンの濃度が約０．０５％以下であることを特徴とする、請求項１記載の組成物。
【請求項３】
クロルヘキシジンがクロルヘキシジングルコネートであることを特徴とする、請求項１記載の組成物。
【請求項４】
抗菌剤、抗ウイルス剤、真菌剤、化学療法薬剤、麻酔薬、出血を減少させる剤、および診断用剤から選択される第２の剤をさらに含むことを特徴とする、請求項１記載の組成物。
【請求項５】
前記組成物の投与後に前記部位に吸引が適用される、請求項１記載の組成物。
【請求項６】
クロルヘキシジンが、クロルヘキシジンを含有する持続放出性材料を介して前記部位に投与されるように用いられる、請求項１記載の組成物。
【請求項７】
静脈注射を介して血液に投与されるように用いられる、請求項１記載の組成物。
【請求項８】
前記水溶液が等張液であり、該等張液が静脈注射により投与される５分前未満で調製される、請求項７記載の組成物。
【請求項９】
蒸気および／またはエアゾールの吸入を介して気道に投与されるように用いられる、請求項１記載の組成物。
【請求項１０】
鼻潅注システム、鼻洗浄、鼻潅水、または鼻うがい（neti pot）を介して洞に投与されるように用いられる、請求項１記載の組成物。
【請求項１１】
関節内注射を介して関節内部位に投与されるように用いられる、請求項１記載の組成物。
【請求項１２】
脳脊髄注射また脳脊髄潅注システムを介して、脳脊髄部位に投与されるように用いられる、請求項１記載の組成物。
【請求項１３】
経口摂取用錠剤、マイクロカプセル球、ナノ粒子、時間制御送達システム、凍結ブロック、単純な（plain）水溶液、等張液、または埋め込み型の徐放性送達システムとして投与されるように用いられる、請求項１記載の組成物。
【請求項１４】
バイオフィルムの形成を防止または低下させるために用いられる、請求項１記載の組成物。
【請求項１５】
前記感染がＭＲＳＡ感染である、請求項１記載の組成物。
【請求項１６】
クロルヘキシジンがその中に組み込まれていることを特徴とする、留置医療装置。
【請求項１７】
救急絆、包帯、縫合糸、インプラント、およびカテーテルから選択されることを特徴とする、請求項１６記載の装置。
【請求項１８】
クロルヘキシジンが、前記装置の表面のコーティングにより組み込まれることを特徴とする、請求項１６記載の装置。
【請求項１９】
クロルヘキシジンを含む溶液の送達に適したチューブを含み、
該チューブがクロルヘキシジン溶液を含有する容器からクロルヘキシジンを受け取るように適合され、かつ対象において手術が実施される部位にクロルヘキシジンを送達するようにさらに適合されていることを特徴とする、
低侵襲手術のためのシステム。
【請求項２０】
請求項１６記載の医療装置を含むことを特徴とする、キット。
【手続補正２】
【補正対象書類名】明細書
【補正対象項目名】００２０
【補正方法】変更
【補正の内容】
【００２０】
本発明は、殺菌組成物と、対象へ該殺菌組成物を投与するための機器または装置とを含むキットおよびトレイも提供し得る。好ましい態様において、該組成物、該キット、および該トレイは、滅菌されている。
[本発明1001]
対象における部位での感染を低下させるための方法であって、該方法が1％以下の濃度でクロルヘキシジンを含む水溶液を該部位に投与する段階を含み、該部位が、
a）血液、
b）尿生殖路、
c）気道、
d）腹腔内部位、
e）眼球部位、
f）結腸、
g）洞、
h）関節内部位、
i）縦隔部位、および
j）脳脊髄部位
から選択される、前記方法。
[本発明1002]
クロルヘキシジンの濃度が約0.05％以下である、本発明1001の方法。
[本発明1003]
クロルヘキシジンがクロルヘキシジングルコネートである、本発明1001の方法。
[本発明1004]
前記組成物が、抗菌剤、抗ウイルス剤、真菌剤、化学療法薬剤、麻酔薬、出血を減少させる剤、および診断用剤から選択される第2の剤をさらに含む、本発明1001の方法。
[本発明1005]
前記部位に吸引を適用する段階をさらに含む、本発明1001の方法。
[本発明1006]
クロルヘキシジンが、クロルヘキシジンを含有する持続放出性材料を介して前記部位に投与される、本発明1001の方法。
[本発明1007]
前記組成物が、静脈注射を介して血液に投与される、本発明1001の方法。
[本発明1008]
クロルヘキシジンを含有する等張液が、該溶液が静脈注射により投与される5分前未満で調製される、本発明1007の方法。
[本発明1009]
前記組成物が、蒸気および／またはエアゾールの吸入を介して気道に投与される、本発明1001の方法。
[本発明1010]
前記組成物が、乳液、溶液、懸濁液、または軟膏として眼球部位に投与される、本発明1001の方法。
[本発明1011]
前記組成物が、鼻潅注システム、鼻洗浄、鼻潅水、または鼻うがい（neti pot）を介して洞に投与される、本発明1001の方法。
[本発明1012]
前記組成物が、関節内注射を介して関節内部位に投与される、本発明1001の方法。
[本発明1013]
前記組成物が、脳脊髄注射また脳脊髄潅注システムを介して、脳脊髄部位に投与される、本発明1001の方法。
[本発明1014]
前記組成物が、経口摂取用錠剤、マイクロカプセル球、ナノ粒子、時間制御送達システム、凍結ブロック、単純な（plain）水溶液、等張液、または埋め込み型の徐放性送達システムとして投与される、本発明1001の方法。
[本発明1015]
クロルヘキシジンがその中に組み込まれている留置医療装置。
[本発明1016]
救急絆、包帯、縫合糸、インプラント、およびカテーテルから選択される、本発明1015の装置。
[本発明1017]
クロルヘキシジンが、前記装置の表面のコーティングにより組み込まれる、本発明1015の装置。
[本発明1018]
クロルヘキシジンを含む溶液の送達に適したチューブを含み、
該チューブがクロルヘキシジン溶液を含有する容器からクロルヘキシジンを受け取るように適合され、かつ対象において手術が実施される部位にクロルヘキシジンを送達するようにさらに適合されている、
低侵襲手術のためのシステム。
[本発明1019]
本発明1015の医療装置を含む、キット。
【手続補正書】
【提出日】平成29年11月16日(2017.11.16)
【手続補正１】
【補正対象書類名】特許請求の範囲
【補正対象項目名】全文
【補正方法】変更
【補正の内容】
【特許請求の範囲】
【請求項１】
２つのアルキル（メタ）アクリレートコポリマーを含む潤滑油添加剤として使用するための組成物であって、
前記組成物の全質量を基準として、３０〜９０質量％の第１コポリマー及び１０〜７０質量％の第２コポリマーを含み、且つ
ａ）第１コポリマーが、
ｉ）コポリマーの全質量を基準として、３５〜６０質量％の、１つ以上のＣ７〜Ｃ１５アルキル（メタ）アクリレートから選択されるモノマー単位、及び
ｉｉ）コポリマーの全質量を基準として、４質量％未満の、１つ以上のＣ１〜Ｃ６アルキル（メタ）アクリレートから選択されるモノマー単位
を含み、且つ
ｂ）第２コポリマーが、
ｉ）コポリマーの全質量を基準として、６０質量％超〜９５質量％の、１つ以上のＣ７〜Ｃ１５アルキル（メタ）アクリレートから選択されるモノマー単位、
ｉｉ）コポリマーの全質量を基準として、少なくとも５質量％の、１つ以上のＣ１６〜Ｃ２４アルキル（メタ）アクリレートから選択されるモノマー単位、及び
ｉｉｉ）コポリマーの全質量を基準として、４質量％未満の、１つ以上のＣ１〜Ｃ６アルキル（メタ）アクリレートから選択されるモノマー単位
を含むことを特徴とする、前記組成物。
【請求項２】
第１コポリマーが、コポリマーの全質量を基準として、４０〜６５質量％の、１つ以上のＣ１６〜Ｃ２４アルキル（メタ）アクリレートから選択されるモノマー単位を更に含むことを特徴とする、請求項１に記載の組成物。
【請求項３】
第２コポリマーが、
ｉ）コポリマーの全質量を基準として、６１〜９５質量％の、１つ以上のＣ７〜Ｃ１５アルキル（メタ）アクリレートから選択されるモノマー単位、
ｉｉ）コポリマーの全質量を基準として、５〜３９質量％の、１つ以上のＣ１６〜Ｃ２４アルキル（メタ）アクリレートから選択されるモノマー単位、及び
ｉｉｉ）コポリマーの全質量を基準として、４質量％未満の、１つ以上のＣ１〜Ｃ６アルキル（メタ）アクリレートから選択されるモノマー単位
を含むことを特徴とする、請求項１に記載の組成物。
【請求項４】
第１コポリマーが
ｉ）コポリマーの全質量を基準として、３５〜６０質量％の、１つ以上のＣ１０〜Ｃ１５アルキル（メタ）アクリレートから選択されるモノマー単位、
ｉｉ）コポリマーの全質量を基準として、４０〜６５質量％の、１つ以上のＣ１６〜Ｃ２０アルキル（メタ）アクリレートから選択されるモノマー単位、及び
ｉｉｉ）コポリマーの全質量を基準として、４質量％未満の、１つ以上のＣ１〜Ｃ６アルキル（メタ）アクリレートから選択されるモノマー単位
を含むことを特徴とする、請求項１に記載の組成物。
【請求項５】
第２コポリマーが、
ｉ）コポリマーの全質量を基準として、６１〜９５質量％の、１つ以上のＣ１０〜Ｃ１５アルキル（メタ）アクリレートから選択されるモノマー単位、
ｉｉ）コポリマーの全質量を基準として、５〜３９質量％の、１つ以上のＣ１６〜Ｃ２０アルキル（メタ）アクリレートから選択されるモノマー単位、及び
ｉｉｉ）コポリマーの全質量を基準として、４質量％未満の、１つ以上のＣ１〜Ｃ６アルキル（メタ）アクリレートから選択されるモノマー単位
を含むことを特徴とする、請求項１に記載の組成物。
【請求項６】
組成物が３０〜８０質量％の第１コポリマー及び２０〜７０質量％の第２コポリマーを含むことを特徴とする、請求項１に記載の組成物。
【請求項７】
Ｃ７〜Ｃ１５アルキル（メタ）アクリレートが、ドデシル−ペンタデシルメタクリレート（ＤＰＭＡ）、デシル−オクチルメタクリレート（ＤＯＭＡ）、ノニル−ウンデシルメタクリレート（ＮＵＭＡ）、及びラウリル−ミリスチルメタクリレート（ＬＭＡ）からなる群から選択され；且つＣ１６〜Ｃ２４アルキル（メタ）アクリレートが、セチル−エイコシルメタクリレート（ＣＥＭＡ）、及びセチル−ステアリルメタクリレート（ＳＭＡ）からなる群から選択される、請求項１に記載の組成物。
【請求項８】
潤滑油組成物が、請求項１から７までのいずれか１項に記載の組成物を更に含むことを特徴とする、基油を含む潤滑油組成物。
【請求項９】
潤滑油組成物が、請求項１から７までのいずれか１項に記載の組成物を、潤滑油組成物の全質量に対して前記組成物中のコポリマーの全質量を基準として、０．０３〜３質量％の量で含むことを特徴とする、請求項８に記載の潤滑油組成物。
【請求項１０】
基油が、ＡＰＩ第Ｉ群、第ＩＩ群及び第ＩＩＩ群の基油からなる群から選択されることを特徴とする、請求項８に記載の潤滑油組成物。
【請求項１１】
潤滑油組成物の全質量を基準として、０．１〜２０質量％の、アルキル（メタ）アクリレートポリマー、エチレン及びプロピレンから構成されるオレフィンコポリマー、及び水素化スチレンジエン「スター」ポリマーからなる群から選択される粘度指数向上剤を更に含む、請求項８に記載の潤滑油組成物。
【請求項１２】
請求項１から７までのいずれか１項に記載の組成物を添加剤として潤滑油組成物に添加する工程を含む、老化した潤滑油組成物の低温粘度の改善方法であって、前記老化した潤滑油組成物が、エンジン、特にディーゼルエンジンにおいて使用された潤滑油組成物である、前記方法。
【請求項１３】
添加剤を含む老化した潤滑油組成物が、ＡＳＴＭ  Ｄ４６８４に従って、６０Ｐａｓ以下の低剪断速度粘度及び３５Ｐａ未満の降伏応力を有することを特徴とする、請求項１２に記載の方法。
【請求項１４】
潤滑油組成物の全質量を基準として、５〜１５質量％の粘度指数向上剤を潤滑油組成物に添加することを更に含み、その際、粘度指数向上剤が、アルキル（メタ）アクリレートポリマー、エチレン及びプロピレンから構成されるオレフィンコポリマー、及び水素化スチレンジエン「スター」ポリマーからなる群から選択される、請求項１２に記載の方法。
【請求項１５】
老化した潤滑油組成物が、エンジンに使用された潤滑油組成物であることを特徴とする、請求項１２に記載の方法。
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
３次元オブジェクトを製造する方法であり、前記方法は、
担体媒体、タングステンカーバイド粒子及びコバルト粒子を含むインク組成物を提供すること；
前記インク組成物の連続層が沈着される添加プロセスを用いて３次元オブジェクトを形成するためにプリントヘッドからインク組成物を投与し；
前記投与されたインクを、担体媒体を蒸発させるに十分な第一の温度まで加熱するように露出し；及び
前記投与されたインクを、前記コバルト粒子を溶融するのに十分な第二の温度まで加熱するように露出すること、
を含む方法。
【請求項２】
前記タングステンカーバイド粒子のコバルト粒子に対する重量比率が約８：２から約９．５：０．５である、請求項１の方法。
【請求項３】
前記第一の温度が約１００度Ｃから約３２０度Ｃである、請求項１の方法。
【請求項４】
前記第二の温度が約９５０度Ｃである、請求項１の方法。
【請求項５】
前記タングステンカーバイド粒子を焼結するために十分な第三の温度に加熱するために投与されたインクを露出することをさらに含む、請求項１の方法。
【請求項６】
前記第三の温度が約１４００度Ｃである、請求項５の方法。
【請求項７】
前記３次元オブジェクトを前記第三の温度から室温に冷却することをさらに含む、請求項５の方法。
【請求項８】
前記溶融されたコバルト粒子が前記タングステンカーバイド粒子を焼結するための液相として働く、請求項５の方法。
【請求項９】
前記コバルト粒子が前記タングステンカーバイド粒子のバインダとして働く、請求項７の方法。
【請求項１０】
以下のプロセスを用いて製造された３次元オブジェクトを印刷するためのインク組成物であり、プロセスは
担体媒体、タングステンカーバイド粒子及びコバルト粒子を含むインク組成物を提供すること；
前記インク組成物の連続層が沈着される添加プロセスを用いて３次元オブジェクトを形成するためにプリントヘッドからインク組成物を投与し；
前記投与されたインクを、担体媒体を蒸発させるに十分な第一の温度まで加熱するように露出し；及び
前記投与されたインクを、前記コバルト粒子を溶融するのに十分な第二の温度まで加熱するように露出すること、
を含む、インク組成物。
【請求項１１】
前記タングステンカーバイドと前記コバルト粒子の重量は合わせてインク組成物の約４０〜約６０重量％である、請求項１０のインク組成物。
【請求項１２】
前記担体媒体は、プロピレングリコール、エチレングリコール、ジメトキシエタン、グライム、モノグライム、ジメチルグリコール、エチレングリコールジメチルエーテル、及びジメチルセロソルブを含む群れから選択される少なくとも一つのグリコールエーテルを含む、請求項１０のインク組成物。
【請求項１３】
前記担体媒体はエチレングリコール及びプロピレングリコールを含む群れから選択される少なくとも一つの水溶性液体を含む、請求項１０のインク組成物。
【請求項１４】
安定剤として機能する少なくとも一つの分散剤をさらに含み、前記少なくとも一つの分散剤はディスパービック１８０、ディスパービック１９０、ディスパービック１６３（Ｄｉｓｐｅｒｂｙｋ  １８０、  Ｄｉｓｐｅｒｂｙｋ  １９０、Ｄｉｓｐｅｒｂｙｋ  １６３）、ソルスパース３９０００、ソルスパース３３０００、ソルスパース３５０００（Ｓｏｌｓｐｅｒｓｅ３９０００、Ｓｏｌｓｐｅｒｓｅ３３０００、Ｓｏｌｓｐｅｒｓｅ３５０００）、レオスパース３０２０、レオスパース３４５０、レオスパース３６２０（Ｒｈｅｏｓｐｅｒｓｅ ３０２０、Ｒｈｅｏｓｐｅｒｓｅ ３４５０、Ｒｈｅｏｓｐｅｒｓｅ ３６２０）、及びＥｆｋａ７７０１、Ｅｆｋａ７７３１、Ｅｆｋａ７７３２を含む群れから選択される、請求項１０のインク組成物。
【請求項１５】
前記インク組成物の表面張力に影響を与える少なくとも一つの表面剤をさらに含み、前記少なくとも一つの表面剤はＢｙｋ３３３、Ｂｙｋ３０７、ＴｅｇｏＷｅｔ２７０、ＴｅｇｏＷｅｔ２８０、ＴｅｇｏＷｅｔＫＬ２４５を含む群れから選択される、請求項１０のインク組成物。
【請求項１６】
インク組成物のレオロジー特性に影響を与える少なくとも一つのレオロジー剤をさらに含み、前記少なくとも一つのレオロジー剤はエチルセルロース、カルボキシメチル  セルロース、ヒドロキシプロピル  メチルセルロース、及び酢酸セルロースを含む群れから選択される、請求項１０のインク組成物。
【請求項１７】
前記タングステンカーバイド粒子のコバルト粒子に対する重量比は、約８：２から約９．５：０．５であり、及び前記インク組成物の粘度が約１０センチポイズ（ｃＰｓ）から約３０センチポイズ（ｃＰｓ）である、請求項１０のインク組成物。
【請求項１８】
前記タングステンカーバイド粒子のコバルト粒子に対する重量比が約９：１であり、及び前記インク組成物の粘度が約１５センチポイズ（ｃＰｓ）である、請求項１０のインク組成物。
【請求項１９】
前記タングステンカーバイド粒子のグレインサイズが約０．５ミクロンから２ミクロンであり、前記コバルト粒子のグレインサイズが約２０ｎｍから１ミクロンである、請求項１８のインク組成物。
【請求項２０】
前記コバルト粒子は、他のコバルト粒子の磁気吸引力を抑制するサイズの直径を持つ、請求項１８のインク組成物。
【請求項２１】
添加剤製造プロセスを用いて製造された、３次元オブジェクトであり、前記プロセスは、
担体媒体、タングステンカーバイド粒子及びコバルト粒子を含むインク組成物を提供すること；
前記インク組成物の連続層が沈着される添加プロセスを用いて３次元オブジェクトを形成するためにプリントヘッドからインク組成物を投与し；
前記投与されたインクを、担体媒体を蒸発させるに十分な第一の温度まで加熱するように露出し；及び
前記投与されたインクを、前記コバルト粒子を溶融するのに十分な第二の温度まで加熱するように露出すること、
を含む、３次元オブジェクト。
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
マルチビート捕捉モードにおいて画像データを捕捉するよう構成されるイメージングデバイスと、
メモリに記憶されており、前記イメージングデバイスから画像データを受け取るよう構成される品質スコアリングモジュールであり、前記受け取られた画像データにおける第１スキャンラインパラメータを、前記受け取られた画像データにおける第２スキャンラインパラメータと比較し、前記第１スキャンラインパラメータ及び前記第２スキャンラインパラメータはマルチビートサイクルからであり、前記画像データから生成される画像の適合性を示す品質スコアを前記比較から計算するよう構成される前記品質スコアリングモジュールと、
前記画像を表示し、実時間において前記画像に対応する前記品質スコアを表示するディスプレイと
を有するイメージングシステム。
【請求項２】
前記品質スコアリングモジュールは、画像データ以外の１つ以上の他のソースからの入力を更に含む、
請求項１に記載のイメージングシステム。
【請求項３】
前記品質スコアリングモジュールの前記比較は、前記画像データにおけるスティッチ位置にある第１スキャンラインと、前記画像データにおける非スティッチ位置にある第２スキャンラインとを比較することを含む、
請求項１に記載のイメージングシステム。
【請求項４】
前記品質スコアリングモジュールは、心周期の間の波形間の心電図変動性スコアを計算するアプリケーションを含む、
請求項１に記載のイメージングシステム。
【請求項５】
前記イメージングデバイスと通信するプロセッサを更に有し、
前記画像データは、捕捉されたスキャンラインデータ、又は捕捉されたスキャンラインデータと補間されたスキャンラインデータとの混合を含み、
前記プロセッサは、画像データから画像を生成し、
前記品質スコアリングモジュールの前記比較は、前記捕捉されたスキャンラインデータを前記補間されたスキャンラインデータと比較することを含む、
請求項１に記載のイメージングシステム。
【請求項６】
前記品質スコアリングモジュールは、イメージングの間のモーション測定に基づきモーションスコアを計算するアプリケーションを含む、
請求項１に記載のイメージングシステム。
【請求項７】
前記イメージングデバイスと前記マルチビートサイクルの間に撮像される対象との間の相対運動を特定する少なくとも１つのモーション測定デバイス
を更に有する請求項１に記載のイメージングシステム。
【請求項８】
前記イメージングデバイスは、超音波デバイスである、
請求項１に記載のイメージングシステム。
【請求項９】
マルチビート捕捉モードにおいて画像データを捕捉するよう構成される超音波イメージングデバイスと、
メモリに記憶されており、前記超音波イメージングデバイスから画像データを受け取るよう構成される品質スコアリングモジュールであり、前記受け取られた画像データにおける第１スキャンラインパラメータを、前記受け取られた画像データにおける第２スキャンラインパラメータと比較し、前記第１スキャンラインパラメータ及び前記第２スキャンラインパラメータはマルチビートサイクルからであり、前記画像データから生成される画像の適合性を示す品質スコアを前記比較から計算するよう構成される前記品質スコアリングモジュールと、
前記画像を表示し、実時間において前記画像に対応する前記品質スコアを表示するディスプレイと、
前記品質スコアに基づき前記画像の承認又は拒否を可能にするインターフェイスと
を有するイメージングシステム。
【請求項１０】
前記品質スコアリングモジュールは、画像データ以外の１つ以上の他のソースからの入力を更に含む、
請求項９に記載のイメージングシステム。
【請求項１１】
前記品質スコアリングモジュールの前記比較は、前記画像データにおけるスティッチ位置にある第１スキャンラインと、前記画像データにおける非スティッチ位置にある第２スキャンラインとを比較することを含む、
請求項９に記載のイメージングシステム。
【請求項１２】
前記イメージングデバイスと前記マルチビートサイクルの間に撮像される対象との間の相対運動を特定する少なくとも１つのモーション測定デバイス
を更に有する請求項９に記載のイメージングシステム。
【請求項１３】
前記品質スコアリングモジュールは、全体的な品質スコアを更に有し、該全体的な品質スコアは、前記スキャンラインパラメータから計算された前記品質スコアと、前記１つ以上の他のソースから計算された品質スコアとを含む、
請求項１０に記載のイメージングシステム。
【請求項１４】
前記全体的な品質スコアは、前記品質スコアの加重結合を含む、
請求項１３に記載のイメージングシステム。
【請求項１５】
マルチビート捕捉モードにおいて画像データを捕捉し、
受け取られた前記画像データにおける第１スキャンラインパラメータを、前記受け取られた画像データにおける第２スキャンラインパラメータと比較し、前記第１スキャンラインパラメータ及び前記第２スキャンラインパラメータはマルチビートサイクルからであり、前記画像データから生成される画像の適合性を示すよう前記比較から品質スコアを計算することによって、前記画像に品質スコアリングを行い、
前記画像及び該画像に対応する前記品質スコアを実時間において表示する
ことを有するイメージング方法。